【手続補正書】
【提出日】平成18年10月3日(2006.10.3)
【手続補正１】
【補正対象書類名】明細書
【補正対象項目名】特許請求の範囲
【補正方法】変更
【補正の内容】
【特許請求の範囲】
【請求項１】  移動端末装置と移動通信網とからなり、前記移動端末装置が前記移動通信網を介して通信を行うことを可能とする移動通信システムにおいて、
前記移動端末装置に設けられ、前記移動通信網からの通常の呼出しを受け付けない第１の状態に前記移動端末装置が設定されている期間に、前記通常の呼出しとは異なる緊急呼出しの有無を確認するために前記移動通信網との間で所定の確認通信を確認周期毎に行う確認通信処理手段と、
前記移動通信網に設けられ、前記移動端末装置への緊急呼出しが要求されたことに応じて、前記確認通信の際に前記移動端末装置による受信が可能なように緊急呼出しを行う緊急呼出手段と、
前記移動端末装置に設けられ、前記確認通信の際に緊急呼出しを受信したことに応じて、前記第１の状態を解除して、前記通常の呼出しを受け付ける第２の状態に前記移動端末装置を設定する第１の設定手段とを具備したことを特徴とする移動通信システム。
【請求項２】  前記移動端末装置に設けられ、前記第１の状態および前記第２の状態を設定する場合にそれぞれ、その旨を前記移動通信網に対して通知する通知手段と、
前記移動通信網に設けられ、前記通知手段による通知に基づいて前記第１の状態が設定されている移動端末装置を管理する端末管理手段とをさらに具備し、
かつ前記緊急呼出手段は、前記端末管理手段により前記第１の状態が設定されているとされている移動端末装置が緊急呼出先として指定された緊急呼出しが要求された場合に、前記確認通信が開始されるのを待って、その確認通信の際に緊急呼出しを行うことを特徴とする請求項１に記載の移動通信システム。
【請求項３】  移動端末装置が通信を行うことを可能とする移動通信網において、
前記移動端末装置への緊急呼出しが要求されたことに応じて、前記移動端末装置において緊急呼出しの有無を確認するために確認周期毎に行われる確認通信の際に前記移動端末装置による受信が可能なように緊急呼出しを行う緊急呼出手段を備えたことを特徴とする移動通信網。
【請求項４】  前記移動通信網からの通常の呼出しを受け付けない第１の状態第１の状態および前記通常の呼出しを受け付ける第２の状態を前記移動端末装置にて設定する場合にその旨を通知するごとく前記移動端末装置からそれぞれなされる通知に基づいて第１の状態前記第１の状態が設定されている移動端末装置を管理する端末管理手段をさらに備え、
かつ前記緊急呼出手段は、前記端末管理手段により前記第１の状態が設定されているとされている移動端末装置が緊急呼出先として指定された緊急呼出しが要求された場合に、その移動端末装置が所定の確認周期毎に行う確認通信が開始されるのを待って、その確認通信の際に緊急呼出しを行うことを特徴とする請求項３に記載の移動通信網。
【請求項５】  移動通信網を介して通信を行う移動端末装置において、
前記移動通信網からの通常の呼出しを受け付けない第１の状態が前記移動端末装置に設定されている期間に、前記通常の呼出しとは異なる緊急呼出しの有無を確認するために前記移動通信網との間で確認通信を確認周期毎に行う確認通信処理手段と、
前記確認通信の際に前記緊急呼出しを受信したことに応じて、前記第１の状態を解除して、前記通常の呼出しを受け付ける第２の状態に前記移動端末装置を設定する第１の設定手段とを備えたことを特徴とする移動端末装置。
【請求項６】  前記第１の状態および前記第２の状態を設定する場合にそれぞれ、その旨を前記移動通信網に対して通知する通知手段をさらに備えたことを特徴とする請求項５に記載の移動端末装置。
【請求項７】  前記第１の状態が設定されたときには前記基地局と無線通信を行うための通信部への電力供給を遮断する手段をさらに備えることを特徴とする請求項５に記載の移動端末装置。
【請求項８】  メインバッテリおよびサブバッテリと、
前記メインバッテリが使用可能であるときには前記メインバッテリを有効とし、また前記メインバッテリが使用不能であるときにのみ前記サブバッテリを有効とするバッテリ切換手段と、
このバッテリ切換手段により前記サブバッテリが有効とされたときに前記第１の状態を設定する第２の設定手段とをさらに具備したことを特徴とする請求項７に記載の移動端末装置。
【請求項９】  前記確認通信処理手段は、前記確認通信において、前記緊急呼出しの有無の確認を要求する情報を前記移動通信網に送信し、これに応じて前記移動通信網から送信される応答情報を受信し、前記応答情報に基づいて前記緊急呼出しの有無を確認することを特徴とする請求項５に記載の移動端末装置。
【請求項１０】  前記確認通信処理手段は、前記確認通信において、前記緊急呼出しの受信を試みることを特徴とする請求項５に記載の移動端末装置。
【請求項１１】  ユーザにより前記移動端末装置の電源をオフするように指令されたことに応じて前記第１の状態を設定する第３の設定手段をさらに具備することを特徴とする請求項５に記載の移動端末装置。
【手続補正２】
【補正対象書類名】明細書
【補正対象項目名】０００６
【補正方法】変更
【補正の内容】
【０００６】
【課題を解決するための手段】
以上の目的を達成するために第１の本発明は、移動端末装置と移動通信網とからなり、前記移動端末装置が前記移動通信網を介して通信を行うことを可能とする移動通信システムにおいて、前記移動端末装置に設けられ、前記移動通信網からの通常の呼出しを受け付けない第１の状態に前記移動端末装置が設定されている期間に、前記通常の呼出しとは異なる緊急呼出しの有無を確認するために前記移動通信網との間で所定の確認通信を確認周期毎に行う確認通信処理手段と、前記移動通信網に設けられ、前記移動端末装置への緊急呼出しが要求されたことに応じて、前記確認通信の際に前記移動端末装置による受信が可能なように緊急呼出しを行う緊急呼出手段と、前記移動端末装置に設けられ、前記確認通信の際に緊急呼出しを受信したことに応じて、前記第１の状態を解除して、前記通常の呼出しを受け付ける第２の状態に前記移動端末装置を設定する第１の設定手段とを備えた。
【手続補正３】
【補正対象書類名】明細書
【補正対象項目名】０００７
【補正方法】変更
【補正の内容】
【０００７】
このような手段を講じたことにより、移動端末装置では、第１の状態が自装置に設定されている期間には移動通信網からの通常の呼出しを受け付けられないが、緊急呼出しの有無を確認するための確認通信は確認周期毎に行われる。移動通信網では、移動端末装置の緊急呼出しが要求された場合、前記移動端末装置が前記確認通信により受信可能なように、通常の呼出しとは異なる緊急呼出しが行われる。そして緊急呼出しがなされた移動端末装置では、移動通信網からの通常の呼出しを受け付ける第２の状態が設定される。従って、第３者からの要求により、移動端末装置が第１の状態から第２の状態へと変更される。
【手続補正４】
【補正対象書類名】明細書
【補正対象項目名】０００８
【補正方法】変更
【補正の内容】
【０００８】
また第２の本発明は、前記移動端末装置にさらに、前記第１の状態および前記第２の状態を設定する場合にそれぞれ、その旨を前記移動通信網に対して通知する通知手段を設けるとともに、前記移動通信網にさらに、前記通知手段による通知に基づいて前記第１の状態が設定されている移動端末装置を管理する端末管理手段とを備え、かつ前記緊急呼出手段が、前記端末管理手段により前記第１の状態が設定されているとされている移動端末装置が緊急呼出先として指定された緊急呼出しが要求された場合に、前記確認通信が開始されるのを待って、その確認通信の際に緊急呼出しを行うこととした。
【手続補正５】
【補正対象書類名】明細書
【補正対象項目名】００１０
【補正方法】変更
【補正の内容】
【００１０】
また第３の本発明は、前記移動端末装置にさらに、前記第１の状態が設定されたときには前記基地局と無線通信を行うための通信部への電力供給を遮断する手段と、メインバッテリおよびサブバッテリと、前記メインバッテリが使用可能であるときには前記メインバッテリを有効とし、また前記メインバッテリが使用不能であるときにのみ前記サブバッテリを有効とするバッテリ切換手段と、このバッテリ切換手段により前記サブバッテリが有効とされたときに前記第１の状態を設定する第２の設定手段とを備えた。
【手続補正６】
【補正対象書類名】明細書
【補正対象項目名】００１１
【補正方法】変更
【補正の内容】
【００１１】
このような手段を講じたことにより、メインバッテリが使用不能であるときにはサブバッテリにより動作が維持されるが、このサブバッテリに切り替わった際には第１の状態が自動的に設定される。従って、サブバッテリの消耗が小さく抑えられてサブバッテリの寿命延長が図られる。
【手続補正７】
【補正対象書類名】明細書
【補正対象項目名】００４２
【補正方法】変更
【補正の内容】
【００４２】
(3)  プロセッサモジュール２１、通信部２２、通話部２３、キースイッチ群２４、表示コントローラ２５、ディスプレイ２６、サウンダコントローラ２７およびサウンダ２８等の全ての電力供給先。
【手続補正８】
【補正対象書類名】明細書
【補正対象項目名】００６４
【補正方法】変更
【補正の内容】
【００６４】
ところで移動通信網１において交換局装置１１は、移動端末装置２から前述のようにしてスリープモードＯＮ状態へ移行する旨やスリープモードＯＦＦ状態に移行した旨の通知を受けると、図示しない制御部により図５に示すようなモード変更通知時処理を実行する。
【手続補正９】
【補正対象書類名】明細書
【補正対象項目名】００６５
【補正方法】変更
【補正の内容】
【００６５】
このモード変更通知時処理において交換局装置１１は、通知されたのがスリープモードＯＮ状態へ移行する旨であるか否かの判断を行う（ステップＳＴ３１）。
【手続補正１０】
【補正対象書類名】明細書
【補正対象項目名】図５
【補正方法】変更
【補正の内容】
【図５】
図１中の交換局装置１１によるモード変更通知時処理の処理手順を示すフローチャート。